(57)【特許請求の範囲】
【請求項１】
底板部および前記底板部の外縁部から鉛直方向に延在する立上がり部を備える木造建造物用のベタ基礎構造と、
前記ベタ基礎構造の下方に埋設された防蟻用の底部発泡樹脂体と、
前記立上がり部の横側面に沿って配置された防蟻用の側部発泡樹脂体と、を有し、
防蟻用の前記底部発泡樹脂体および前記側部発泡樹脂体がいずれも発泡ビーズ成形体を含み、
上記側部発泡樹脂体の上端面を覆う硬質の被覆部を有する蟻返し部材が設けられていることを特徴とする防蟻用基礎構造。
【請求項２】
前記蟻返し部材が、前記被覆部の建物側の外縁部から上方および／または下方に延在する壁部を有する請求項１に記載の防蟻用基礎構造。
【請求項３】
前記側部発泡樹脂体の上端面と前記立上がり部の上端面とが略面一に配置され、
前記被覆部が前記側部発泡樹脂体の上端面と、前記立上がり部の上端面の少なくとも一部とに亘って配置されている請求項１または２に記載の防蟻用基礎構造。
【請求項４】
前記発泡ビーズ成形体の基材樹脂が、ポリスチレン系樹脂である請求項１から３のいずれいか一項に記載の防蟻用基礎構造。
【請求項５】
地盤中において、
前記底部発泡樹脂体および／または前記側部発泡樹脂体の側面に沿って、透水部材が配置されている請求項１から４のいずれか一項に記載の防蟻用基礎構造。
【請求項６】
前記側部発泡樹脂体の外側面には、保護層が設けられており、
前記保護層の上端面は、前記側部発泡樹脂体の上端面と略面一に配置されており、
前記被覆部が、前記保護層の上端面を覆う請求項１から５のいずれか一項に記載の防蟻用基礎構造。
【請求項７】
前記底板部と地盤とが、防蟻用の前記底部発泡樹脂体および前記側部発泡樹脂体によって隔離されている請求項１から６のいずれか一項に記載の防蟻用基礎構造。
【発明の詳細な説明】
【技術分野】
【０００１】
本発明は、木造建造物用の基礎構造であって、白蟻による食害を防止可能な基礎構造に関する。
【背景技術】
【０００２】
木造建造物において白蟻の食害というのは深刻な問題であり、従来から種々の防蟻技術が提案されている。
一般的には、防蟻用の化学殺虫剤を木材に注入し、当該木材を食した白蟻を殺虫する方法、あるいは基礎コンクリートの周辺地盤に防蟻用の化学殺虫剤を直接に散布する方法などが古くから知られている。しかし、化学殺虫剤を木材に注入する方法では、木材を白蟻が食べることが前提となるため、木材の劣化がいなめない。また、地盤に直接に化学殺虫剤を散布する方法は、自然環境や人体への悪影響が危惧される。
【０００３】
そこでたとえば、下記特許文献１のように、予め、基礎断熱工法に用いられる断熱材に対し、ポリエチレングリコール、水、およびホウ酸系化合物を含有する液剤を施用し、白蟻が比較的柔らかい発泡樹脂を食い破ることを防止し、また発泡樹脂を食べた白蟻を殺虫する技術が開示されている。
また、下記特許文献２には、ウレタンを構成するためのイソシアネート成分を含む第１液と、ポリオール成分と、ペルメトリン溶液およびホウ酸塩水溶液と、を含む第２液を用い現場発泡ウレタン式の防蟻断熱材を家屋の断熱材として用いる技術が開示されている。
【０００４】
上述する特許文献１、２のように、木材ではなく発泡樹脂体に薬剤を含有させ、これを土台などの木材部位に沿わせることによって、木材に白蟻が到達する前に殺虫することが可能である。
【先行技術文献】
【特許文献】
【０００５】
【特許文献１】特開２０１３−２３４４８４号公報
【特許文献２】特開２０１９−０１５０９７号公報
【発明の概要】
【発明が解決しようとする課題】
【０００６】
しかしながら上述する従来技術には、以下の問題があった。すなわち、木造家屋の基礎部分に殺虫剤を含有する部材を配置するということは、そこに居住する人に対し有害な影響を与える恐れがあった。また、殺虫剤として多用されるホウ酸は、腎臓を有する哺乳類に対しては大きな毒性はないと一般的にいわれてはいるが、ホウ酸を含有する発泡樹脂を製造する工程において高濃度のホウ酸が誤って肌に付着し、あるいは体内に吸い込まれることによって、人体に対し悪影響を与える恐れがある。
【０００７】
したがって、木造建造物の土台などの木造部に白蟻が到達しにくく、かつ殺虫剤を使用しない防蟻用基礎構造の提供が望まれている。
【０００８】
本発明は上記問題点を鑑みなされたものであり、具体的には、本発明は、殺虫剤を使用せずに、高い防蟻効果を発揮する木造建造物の防蟻用基礎構造を提供するものである。
【課題を解決するための手段】
【０００９】
本発明の防蟻用基礎構造は、底板部および上記底板部の外縁部から鉛直方向に延在する立上がり部を備える木造建造物用のベタ基礎構造と、上記ベタ基礎構造の下方に埋設された防蟻用の底部発泡樹脂体と、上記立上がり部の横側面に沿って配置された防蟻用の側部発泡樹脂体と、を有し、防蟻用の上記底部発泡樹脂体および上記側部発泡樹脂体がいずれも発泡ビーズ成形体を含み、上記側部発泡樹脂体の上端面を覆う硬質の被覆部を有する蟻返し部材が設けられていることを特徴とする。
【発明の効果】
【００１０】
本発明の防蟻用基礎構造は、殺虫のための薬剤を基礎構造や周辺地盤に使用することなく、発泡ビーズ成形体を用いて、木造建造物における白蟻の食害を防止することができる。
【図面の簡単な説明】
【００１１】
【図１】本発明の第一実施形態にかかる防蟻用基礎構造の概略断面図である。
【図２】（Ａ）は、第一実施形態における蟻返し領域の概略部分断面図であり、（Ｂ）は、蟻返し領域の異なる態様を示す概略断面図である。
【図３】（Ａ）〜（Ｃ）は、蟻返し領域の異なる態様を示す概略断面図である。
【図４】（Ａ）は、本発明の第一実施形態に用いられる透水部材の斜視図であり、（Ｂ）は、透水部材に用いられる発泡樹脂体の変形例の斜視図である。
【図５】本発明の第二実施形態にかかる防蟻用基礎構造の概略断面図である。
【発明を実施するための形態】
【００１２】
本発明は、化学殺虫剤等を基礎構造や周辺地盤に使用せず、発泡ビーズ成形体を用い、基礎全体において白蟻が寄り付き難い忌避環境を構築し、これによって木造建造物の防蟻を図ることを趣旨とするものである。
【００１３】
以下、本発明の実施形態について、図面を用いて説明する。すべての図面において、同様の構成要素には同一の符号を付し、重複する説明は適宜に省略する。
本発明の各種の構成要素は、個々に独立した存在である必要はなく、複数の構成要素が一個の部材として形成されていること、１つの構成要素が複数の部材で形成されていること、ある構成要素が他の構成要素の一部であること、ある構成要素の一部と他の構成要素の一部とが重複していること、等を許容する。図示する本発明の実施態様は、理解容易のために、特定の部材を全体において比較的大きく図示する場合、または小さく図示する場合などがあるが、いずれも本発明の各構成の寸法比率を何ら限定するものではない。
【００１４】
＜第一実施形態＞
以下に、本発明の第一実施形態にかかる防蟻用基礎構造１００について図１から図４を用いて説明する。
図１は、本発明の第一実施形態にかかる防蟻用基礎構造１００を示す概略断面図である。図２（Ａ）は、防蟻用基礎構造１００の立ち上がり上部領域における蟻返し領域１５０を示す概略部分断面図であり、図２（Ｂ）は異なる態様の蟻返し領域１５０を示す概略部分断面図である。図３（Ａ）〜（Ｃ）は、蟻返し領域１５０の異なる態様を示す概略部分断面図である。図４（Ａ）は、防蟻用基礎構造１００に設けられた透水部材７０の斜視図であり、（Ｂ）は、透水部材７０に用いられる透水用発泡樹脂体７２の変形例の斜視図である。
なお、以下の説明において、本発明に関し、適宜、外側、内側という用語を用いる場合があるが、これは任意の地点における方向を示し、具体的には基礎構造上に構築される建造物の内部側を内側とし、屋外側を外側とするものである。
【００１５】
はじめに、本実施形態の防蟻用基礎構造１００の概要について説明する。
図１に示す通り、防蟻用基礎構造１００は、底板部１０および底板部１０の外縁部から鉛直方向に延在する立上がり部２０を備える木造建造物用のベタ基礎構造３０と、ベタ基礎構造３０の下方に埋設された防蟻用の底部発泡樹脂体４０（以下、単に底部発泡樹脂体４０ともいう）と、立上がり部２０の横側面に沿って配置された防蟻用の側部発泡樹脂体５０（以下、単に側部発泡樹脂体５０ともいう）と、を有している。
底部発泡樹脂体４０および側部発泡樹脂体５０としては、いずれも発泡ビーズ成形体を含んで構成された発泡樹脂体が用いられる。側部発泡樹脂体５０の上端面は、硬質の被覆部６２を有する蟻返し部材６０により覆われている。
【００１６】
上述する構成を備える防蟻用基礎構造１００は、化学殺虫剤等を使用せず、発泡ビーズ成形体を含む底部発泡樹脂体４０および側部発泡樹脂体５０という部材を用い、基礎全体において白蟻が寄り付き難い忌避環境を構築する。これによって防蟻用基礎構造１００は、人体に安全に木造建造物の防蟻を図ることができる。
【００１７】
本発明の効果について以下により具体的に述べる。
本発明者は、発泡ビーズ成形体と、押出成形などの他の発泡体成形方法により成形された非発泡ビーズ成形体とを、それぞれ木造建造物下の地盤に埋設した場合に、発泡ビーズ成形体には白蟻が近づかない傾向にあることを見出した。発泡ビーズ成形体と非発泡ビーズ成形体の構成樹脂が同じであっても、同様の傾向がある。
かかる知見に関する理由は明らかではないが、本発明者は、発泡ビーズ成形体は、振動を吸収する際に発泡ビーズ成形体自身も微弱に振動し、これが白蟻の忌避環境を作りだしているのではないかと推察する。たとえば、押出成形や射出成形により形成されたポリスチレン系樹脂発泡体に比べてポリスチレン系樹脂発泡ビーズ成形体の方が、周囲の振動を吸収し、かつ自身も微弱に振動する傾向が強い。木造建造物や当該木造建造物が建てられた地盤には、常に、周辺の道路や工場などにおいて発生する振動が地盤を介して伝搬する地盤振動や、木造建築物の居住者の活動により発生する生活振動が、概ね４０ｄＢ〜６０ｄＢ程度発生しているといわれる。そのため、木造建造物の基礎構造または基礎構造周辺に沿わせて発泡ビーズ成形体を配置すると、上記地盤振動および生活振動により発泡ビーズ成形体も絶えず微弱に振動し、この微弱な振動により白蟻の忌避環境を構築することができるものと推察される。
【００１８】
つまり防蟻用基礎構造１００は、は、ベタ基礎構造３０の下方およびベタ基礎構造３０の立上がり部２０に直接または間接に沿わせて、発泡ビーズ成形体を含む発泡樹脂体（底部発泡樹脂体４０、側部発泡樹脂体５０）を配置することで、従来技術のように薬剤を用いて殺虫するのではなく、ベタ基礎構造３０周囲において、白蟻の忌避環境を構築し、これによって図示省略する木造建造物の防蟻を図るものである。
尚、防蟻用基礎構造１００に用いられる発泡樹脂体は、薬剤が注入されていないものが用いられる。そのため、側部発泡樹脂体５０に含まれる発泡ビーズ成形体が微弱に振動するとはいえ、それだけでは側部発泡樹脂体５０が白蟻に食い破られる可能性がゼロではない。しかし防蟻用基礎構造１００は、ベタ基礎構造３０下方に底部発泡樹脂体４０が配置されているため、地盤中において、ベタ基礎構造３０近傍に白蟻が寄り付きにくい環境が構築されている。また側部発泡樹脂体５０自身も微弱に振動するため白蟻が寄り付くことを好まない。したがって防蟻用基礎構造１００では、側部発泡樹脂体５０に白蟻が登ってくることが有意に抑制される。その上、万一、白蟻が立上がり部２０に配置された側部発泡樹脂体５０を食い破って土台８２側に移動しようとしても、側部発泡樹脂体５０の上端面は硬質の被覆部６２を備える蟻返し部材６０が配置されているため、それ以上、上方に白蟻が木造建造物に浸入できない構造となっている。
【００１９】
次に、本実施形態の防蟻用基礎構造１００の構成等について詳細に説明する。
木造建造物用のベタ基礎構造３０：
本発明は、白蟻による木造建造物の食害を防止するための基礎構造である。したがって防蟻用基礎構造１００は、木造建造物の基礎構造を有し、より具体的には、当該基礎構造としてベタ基礎構造３０を備える。ベタ基礎構造３０は、木造家屋等の木造建造物の基礎構造として一般的に知られるベタ基礎構造であり、底板部１０および立上がり部２０を備える。通常、底板部１０および立ち上がり部２０は、鉄筋コンクリートで構成され、これらによって木造建造物を支持する。
底板部１０は、ベタ基礎構造３０において少なくとも建物直下一面に形成される厚板状の耐圧盤である。一方、立上がり部２０は、ベタ基礎構造３０（底板部１０）の外縁部から上方向および／または下方向に延在する鉄筋コンクリートからなる鉛直部である。立ち上がり部２０は、図１に示すように底板部１０の外縁から上方に延在していてもよいがこれに限定されない。たとえば、所謂、逆ベタ基礎構造の場合には、底板部外縁から上方および／または下方に延在する鉛直部を、本発明における立上がり部として包含する。逆ベタ基礎を用いた本発明の実施態様の一例を、第二実施形態として後述する。
【００２０】
底部発泡樹脂体４０：
上述するベタ基礎構造３０の下方には、底部発泡樹脂体４０が埋設される。図１に示すように、底部発泡樹脂体４０は、底板部１０の下面に対面している。底部発泡樹脂体４０は、底板部４０の下面に直接に接していてもよいし、あるいは、木造建造物からの振動が伝搬される範囲で、底板部１０と底部発泡樹脂体４０との間に任意の構造が設けられ、底板部１０の下面に間接的に接していてもよい。図１では、上記任意の構造として、コンクリート板９１、補強部９２が設けられており、底部発泡樹脂体４０と、底板部１０の下面とが間接的に接した態様が示されている。
コンクリート板９１は、底部発泡樹脂体４０の上面側に形成されるコンクリート部であり、これにより底部発泡樹脂体４０の設置を安定させる。また補強部９２は、ベタ基礎構造３０の底板部１０よりも下方に伸長する梁部であり、これを設けることによって図示省略する木造建造物の揺れの支点を下げることができ、地震時などに木造建造物の揺れを小さく抑えることができる。コンクリート板９１および補強部９２は、いずれも実質的にコンクリートのみから構成されてもよいし、いずれか一方または両方が鉄筋コンクリートから構成されてもよい。本実施形態では、コンクリート板９１および補強部９２は、いずれも実質的にコンクリートのみから構成された態様を図示している。
このように本実施形態では、底板部１０と底部発泡樹脂体４０とが、地盤を介さず、直接または間接に接している。そのため、図示省略する木造建造物において発生した生活振動や地盤振動がベタ基礎構造３０の底板部１０を介して底部発泡樹脂体４０に伝搬され、当該振動が底部発泡樹脂体４０に吸収される。それとともに、底部発泡樹脂体４０自体が微弱に振動するものと推察され、これによって白蟻がベタ基礎構造３０に寄り付くことが防止される。
【００２１】
底部発泡樹脂体４０の配置によって、白蟻をベタ基礎構造３０に寄り付かない忌避環境を構築するという観点から、底部発泡樹脂体４０は、底板部１０の下面略全面を直接または間接に覆う位置に配置されることが好ましい。図１に示すように底板部１０の下方に補強部９２などのように凹凸構造がある場合には、底板部１０の下方に底部発泡樹脂体４０ａを配置するとともに、その任意の凹凸構造の下方に底部発泡樹脂体４０ｂを配置するとよい。
【００２２】
底部発泡樹脂体４０の厚みは特に限定されず、木造建造物の規模などにより適宜決定してよいが、たとえば２階建て〜３階建て程度の木造建造物に対し適用する場合には、白蟻の忌避および振動の良好な吸収という観点からは、上記厚みは、５ｃｍ以上であることが好ましく、１０ｃｍ以上であることがより好ましく、２０ｃｍ以上であることがさらに好ましく、２５ｃｍ以上であることが特に好ましい。また、防蟻効果とコストとのバランスを図る観点からは、上記厚みは、８０ｃｍ以下であることが好ましく、６５ｃｍ以下であることがより好ましく、５０ｃｍ以下であることがさらに好ましく、４５ｃｍ以下であることが特に好ましい。
【００２３】
底部発泡樹脂体４０の下面は直接に地盤に接していても良いが、本実施形態の防蟻用基礎構造１００では、底部発泡樹脂体４０の下面には、防水処理層９０が設けられている。防水処理層９０は、ベタ基礎構造３０の下面側の水はけをよくするための層であり、その構成は特に限定されないが、たとえば、図１に示すとおり、下側から順に、土木シート８８、砕石層８７、砂層８６などからなる積層構造などが例示される。本実施形態では、土木シート８８は、ベタ基礎構造３０の下方から、地盤面（ＧＬ）付近まで敷かれている。
【００２４】
側部発泡樹脂体５０：
防蟻用基礎構造１００は、立上がり部２０の横側面に沿って側部発泡樹脂体５０が配置されている。図２（Ａ）に示されるとおり、側部発泡樹脂体５０の上端面１１０は、立上がり部２０の上端面１２０と略面一の高さに調整されるか、または図３（Ａ）〜（Ｃ）のに示すように、互いが近傍に位置するとよい。ここでいう近傍とは、厳密な距離を示すものではないが、上述する面と面との高低差は、概ね０ｃｍ以上１５ｃｍ以下の範囲となるよう調整することが好ましい。
【００２５】
本実施形態では、側部発泡樹脂体５０は、底板部１０の横側面から立上がり部２０の外側の横側面に亘って、配置されており、下端部は地盤に埋設され、上端部は地盤上に存在している。
また本実施形態では、図１に示すように、側部発泡樹脂体５０は、立上がり部２０の横側面に直接接して配置されている。これによって、図示省略する木造建造物の生活振動がベタ基礎構造３０を介して側部発泡樹脂体５０に良好に伝搬する。ただし、本発明はこれに限定されず、図示省略する木造建造物の振動が立上がり部２０を介して側部発泡樹脂体５０に伝搬可能な範囲で、立上がり部２０の側面と側部発泡樹脂体５０との間に任意の部材が配置されてもよい。
【００２６】
また本実施形態では側部発泡樹脂体５０の下端は、底部発泡樹脂体４０の上面に当接している。このように側部発泡樹脂体５０の下端と底部発泡樹脂体４０とが直接に当接する態様は、白蟻に対する忌避環境が隙間なく構成される点で好ましい。ただし、本発明は、側部発泡樹脂体５０の下端および底部発泡樹脂体４０の間に隙間があることを禁止するものではない。当該隙間を通じてベタ基礎構造３０側に浸入した白蟻は、ベタ基礎構造３０により、さらに内部に侵入することができないからである。また側部発泡樹脂体５０の下端および底部発泡樹脂体４０の間に任意の他の部材が介在していてもよい。
【００２７】
側部発泡樹脂体５０は、少なくとも地盤上において立上がり部２０の外側の横側面に対し、略全面に配置されることが好ましい。側部発泡樹脂体５０が当該横側面に対し敷き詰められることで、地盤上でも白蟻の忌避環境が充分に構築され、これによって、白蟻が防蟻用基礎構造１００の外面を登って木造建造物に到達することを良好に防止し得る。
【００２８】
側部発泡樹脂体５０の厚みは特に限定されないが、側部発泡樹脂体５０自体の微弱な振動により白蟻に対し忌避環境を構築するという観点からは、上記厚みは、２ｃｍ以上であることが好ましく、５ｃｍ以上であることがより好ましく、また防蟻効果とコストとのバランスを図るという観点からは、３０ｃｍ以下であることが好ましく、２０ｃｍ以下であることがより好ましく、１５ｃｍ以下であることがさらに好ましい。
【００２９】
上述する底部発泡樹脂体４０および側部発泡樹脂体５０は、いずれも発泡ビーズ成形体を含む。ここで、発泡ビーズ成形体を含むとは、底部発泡樹脂体４０および側部発泡樹脂体５０がそれぞれ、実質的に発泡ビーズ成形体のみからなる発泡樹脂体である態様および発泡ビーズ成形体に対し被発泡ビーズ成形体が積層されてなる複合樹脂を含むことを意味する。より優れた防蟻効果を発揮させるという観点からは、底部発泡樹脂体４０および側部発泡樹脂体５０がそれぞれ、実質的に発泡ビーズ成形体のみからなる発泡樹脂体であることが好ましい。
尚、上記発泡ビーズ成形体とは、適宜予備発泡させた発泡性樹脂ビーズを、金型に充填し当該金型内において蒸気などで樹脂ビーズを加熱して発泡させるとともに互いに融着させることで得られる、金型内面に沿って所望形状に形成された発泡成形体である。発泡ビーズ成形体は、適度な強度を維持しつつ振動吸収性能が良好である。
【００３０】
上記発泡ビーズ成形体を構成する基材樹脂は特に限定されず、たとえば、ポリスチレン系樹脂、ポリプロピレン系樹脂、ポリエチレン系樹脂などが挙げられる。これらは、適度な柔軟性と強度とを有し、振動吸収性に優れる。一般的には、ポリスチレン系樹脂、ポリプロピレン系樹脂、およびポリエチレン系樹脂は、ポリカーボネート系樹脂発泡体などに比べると柔らかく、白蟻の食害を受けやすいとされる。しかし本発明は、発泡ビーズ成形体を用いること、および底部発泡樹脂体４０がベタ基礎構造３０の下方に配置されており、地盤中において白蟻の忌避環境が構築されていることなどから、このように柔らかい樹脂を防蟻用として用いることが可能である。また、一般的に、長期クリープ特性の観点から、ポリスチレン系樹脂はポリカーボネート系樹脂よりも優れる。本発明において、特に底部発泡樹脂体４０は、ベタ基礎構造３０を介して、図示省略する木造建造物の荷重がかかるため、長期間、形状が変形しにくいポリスチレン系樹脂から構成されることが好ましいといえる。
【００３１】
上述する発泡樹脂体の中でも、振動吸収、樹脂体自体の微弱な揺れの発生、適度な強度などのバランスがよいという観点から、基材樹脂としてポリスチレン系樹脂を含む発泡樹脂体が好ましく、８０質量％以上がポリスチレン系樹脂からなる発泡樹脂体がより好ましく、実質的にポリスチレン系樹脂１００質量％である発泡樹脂体がさらに好ましい。尚、ここでいう基材樹脂とは、発泡ビーズ成形体に含まれる樹脂材料において５０質量％以上含まれる樹脂を指す。
ポリスチレン系樹脂とは、ポリスチレン樹脂あるいは、ポリスチレン・ポリエチレン共重合体などのポリスチレンと他の樹脂の共重合体などが含まれる。
【００３２】
底部発泡樹脂体４０および側部発泡樹脂体５０は、樹脂の組成が同じであってもよいし、異なっていてもよく、底部発泡樹脂体４０および側部発泡樹脂体５０の基材樹脂の一方の基材樹脂がポリスチレン系樹脂であることが好ましく、底部発泡樹脂体４０および側部発泡樹脂体５０の基材樹脂がいずれもポリスチレン系樹脂であることがより好ましく、底部発泡樹脂体４０および側部発泡樹脂体５０がいずれも実質的にポリスチレン系樹脂から構成されることがさらに好ましい。
底部発泡樹脂体４０および側部発泡樹脂体５０のいずれもが、実質的に基材樹脂がポリスチレン系樹脂１００質量％である発泡ビーズ成形体で構成されることが最も好ましい。
尚、基材樹脂の種類によらず、底部発泡樹脂体４０および側部発泡樹脂体５０は、生分解性発泡樹脂体、またはセルロース含有発泡樹脂体などではないことが好ましい。換言すると、底部発泡樹脂体４０および側部発泡樹脂体５０として用いられる発泡樹脂体としては、白蟻の餌となる成分、ならびに植物および微生物の栄養素が実質的に含まれない発泡樹脂体が好ましく選択される。白蟻の餌となる成分が入っていると、白蟻が寄り付く可能性があり、また植物または微生物の栄養素が含まれると、結果的にはカビなどの発生の原因となり得るからである。
【００３３】
底部発泡樹脂体４０および側部発泡樹脂体５０は、それぞれ一の発泡樹脂体から構成することもできるが、配置の範囲が広いため、複数の発泡樹脂ブロックを準備し、これらを組み合わせて底部発泡樹脂体４０および側部発泡樹脂体５０を構成してもよい。
【００３４】
本実施形態の防蟻用基礎構造１００は、底板部１０と地盤とが、底部発泡樹脂体４０および側部発泡樹脂体５０によって隔離されている。かかる態様によれば、地盤中の白蟻に対する忌避環境をより十分なものとすることができるため好ましい。
【００３５】
蟻返し部材６０：
次に、蟻返し部材６０について説明する。図１に示す蟻返し領域１５０には、蟻返し部材６０が設けられている。蟻返し領域１５０は、側部発泡樹脂体５０の上端近傍であって蟻返し部材６０が配置された領域を指している。
図２（Ａ）に示すとおり、蟻返し部材６０は、側部発泡樹脂体５０の上端面１１０を覆う硬質の被覆部６２を有する部材である。本実施形態における蟻返し部材６０は、被覆部６２のみからなる断面Ｉ字状の平板部材である。
側部発泡樹脂体５０の上端面１１０が被覆部６２で覆われることで、もし白蟻が側部発泡樹脂体５０を食い破って上端面１１０付近まで到達してしまった場合であっても、それより上方に白蟻が移動し、土台８２などの木製部材に到達することを防止することができる。かかる観点から、被覆部６２は、側部発泡樹脂体５０の上端面１１０略全面を被覆していることが好ましい。
【００３６】
蟻返し部材６０は、硬質な部材により構成される。硬質とは、白蟻に食い破られない程度に硬いことを意味し、硬質部材としては、たとえば金属部材、または被発泡の硬質樹脂部材などが例示されるがこれらに限定されない。
【００３７】
本実施形態では、図２（Ａ）に示すとおり、側部発泡樹脂体５０の上端面１１０および立ち上がり部２０の上端面１２０は、略面一となるよう構成されており、被覆部６２は、側部発泡樹脂体５０の上端面１１０の全体を覆うとともに、その一部が立ち上がり部２０の上端面１２０の一部に亘って配置されている。これにより、蟻返し部材６０の設置姿勢が安定するとともに、側部発泡樹脂体５０を食い破って登ってきた白蟻が土台８２側に移動することをより十分に防止することができる。
尚、本実施形態では、立ち上がり部２０の上端面１２０において、一部に被覆部６２が載るとともに、それ以外の領域に土台８２が配置されている。本発明は、これに限定されず、たとえば、立ち上がり部２０の上端面１２０において、少なくとも土台８２の底面に相当する程度の面積領域に被覆部６２を載せ、その被覆部６２の上に土台８２を設置する態様を包含する。
【００３８】
側部発泡樹脂体５０の外側側面は、外気に露出することが禁止されるものではないが、図２（Ａ）に示すとおり、上記外側側面を覆い、側部発泡樹脂体５０を保護する保護層８０が設けられていることが好ましい。保護層８０は、たとえばモルタルなどの部材で構成することができるが、これに限定されない。保護層８０は、たとえば側部発泡樹脂体５０よりも硬い部材で構成することができる。
【００３９】
本実施形態では、保護層８０が設けられており、保護層８０の上端面は、側部発泡樹脂体５０の上端面１１０と略面一となるよう配置されており、被覆部６２は、保護層８０の上端面も覆っている。
図２（Ａ）から確認されるとおり、側面視において、被覆部６２の外縁部の一旦が立上がり部２０の上端面１２０に載るとともに、他方の外縁部が保護層８０に載ることによって、側部発泡樹脂体５０の上端面１１０が完全に蓋をされた状態となり好ましい上、側部発泡樹脂体５０よりも強度の高い部材に被覆部６２が跨ることによって、被覆部６２の設置をより十分に安定させることができる。
【００４０】
被覆部６２の上面には何も配置されなくてもよく、あるいは図２（Ａ）のように、任意部材８４を配置することができる。任意部材８４はたとえば断熱材などが挙げられるがこれに限定されない。
【００４１】
蟻返し部材６０は、上述する態様に限定されるものではない。
たとえば、蟻返し部材６０は、図２（Ｂ）、図３（Ａ）、（Ｂ）に示すとおり、被覆部６２と被覆部６２の図示省略する建物側の外縁部から上方および／または下方に延在する壁部６４を備えていてもよい。
たとえば図２（Ｂ）、図３（Ｂ）に示すとおり、蟻返し部材６０は、被覆部６２の上記外縁部から上方に延在する壁部６４を備える断面Ｌ字状に構成されてもよい。壁部６４が設けられ、これが土台８２の側面に沿って配置されることで、土台８２側に白蟻が浸入することがより良好に防止される。
【００４２】
また蟻返し部材６０の別の態様として図３（Ａ）に示すように、被覆部６２と被覆部６２の図示省略する建物側の外縁部から上方および下方に延在する壁部６４を備える断面Ｔ字状に構成されてもよい。また図示省略するが、蟻返し部材６０は、被覆部６２と被覆部６２の図示省略する建物側の外縁部から下方に延在する壁部６４を備える断面逆Ｌ字状に構成されてもよい。尚、ここでいうＬ字状および逆Ｌ字状とは、蟻返し部材６０を防蟻用基礎構造１００に設置した際の姿勢において、壁部６４が上向きに伸長する方向に設置されたものをＬ字状といい、壁部６４が下向きに伸長する方向に設置されたものを逆Ｌ字状と称呼している。
【００４３】
図２（Ｂ）、図３（Ａ）、（Ｂ）に示す壁部６４を備える蟻返し部材６０を用いる場合には、蟻返し部材６０は、周囲の構成部材との密着性を良好にするために、壁部６４を介して、土台８２などに対しボルトなどの留め具１３０で固定されることが好ましい。
【００４４】
ところで、本実施形態における被覆部６２は、下面側に配置される側部発泡樹脂体５０と、上面側に配置される任意部材８４との間にぴったりと挟まれた状態で配置されるが、これらの構造物の界面から雨水などが浸入すると防蟻用基礎構造１００の内部の湿度が高まる虞がある。白蟻は、高湿環境を好むため、防蟻の観点から、基礎構造内部や土台周辺の湿度を低く抑えることが望ましい。そのため、例えば図２（Ｂ）に示すように、蟻返し部材６０の被覆部６２の上面側に位置する任意部材８４の外側面から外方向に向けて下り傾斜する水切り部材１６０を設けるとよい。水切り部材１６０はたとえば板状体であって所定の箇所で適度に屈曲する。水切り部材１６０は、下端の高さが、被覆部６２の高さよりも下側に位置するよう構成されており、これによって、被覆部６２の外側端部を水切り部材１６０で覆い、雨水などが直接に当該外側端部に触れ難くすることで雨水の侵入を防止することができる。
図２（Ｂ）では、水切り部材１６０は、その上端を、ボトルである留め具１３０の頭部と任意部材８４との間に挟んで取り付けているが、水切り部材１６０の設置態様はこれに限定されない。
【００４５】
透水部材７０：
白蟻は、適度に湿度の高い環境を好む。そのため、白蟻の忌避環境をより適切に構築し、白蟻がベタ基礎構造３０の周囲に巣を作らないようにするためには、ベタ基礎構造３０の近傍の地盤の湿度を低く抑えることが好ましい。
かかる観点から、本実施形態では、地盤中において、底部発泡樹脂体４０および／または側部発泡樹脂体５０の側面に沿って、透水部材７０が配置されている。図１には、底部発泡樹脂体４０ａの側面、側部発泡樹脂体５０の地盤に埋設された領域における側面、底部発泡樹脂体４０ｂの側面および上面に透水部材７０が配置された例を示す。
【００４６】
透水部材７０は、発泡樹脂体から構成され、側面または内部に水が入り込む空間を有する透水用発泡樹脂体７２を備える。
透水部材について図４を用いてさらに説明する。図４（ａ）は透水用発泡樹脂体７２を備える透水部材７０の一例を示す斜視図であり、図４（ｂ）は透水部材７０に用いられる透水用発泡樹脂体７２の異なる態様を示す斜視図である。
【００４７】
図４（Ａ）に示す透水部材７０は、透水用発泡樹脂体７２と、これを覆うシート状物１４０とから構成されている。
透水用発泡樹脂体７２は、表面に伸長する溝部１４２および肉厚方向に貫通する穴部１４４が複数設けられており、これらの空間に地盤中の水が浸入することを可能とする。このように地盤中の水が浸入する空間を設けておくことで、一時的に地盤の水分濃度が上がったときに、その一部を透水用発泡樹脂体７２の溝部１４２は穴部１４４に移動させることができ、これによって、地盤の湿度が高くなりすぎないように調整し得る。また上下方向に伸長する溝部１４２を備えることで、溝部１４２を流路として地盤中の水が下方に流れることを促進し得る。
【００４８】
透水用発泡樹脂体７２は、これに設けられた溝部１４２や穴部１４４が周囲の地盤で埋まらないように、シート状物１４０に覆われている。シート状物１４０を構成するシートとしては、透水性であって、地盤中の土砂が貫通しない程度の目の開きを有する不織布、メッシュシートなどが適宜用いられる。
【００４９】
透水用発泡樹脂体７２は、表面または内部に地盤中の水が浸入する空間が形成されたものであればよく、図４（Ａ）に示す態様に限定されない。たとえば、図４（Ｂ）に示すように、一側面および他側面に開孔１４６を有し、一の開孔１４６から他の開孔１４６まで透水用発泡樹脂体７２の内部を貫通する貫通孔１４８が形成されたものであってもよい。
【００５０】
透水部材７０に設けられる透水用発泡樹脂体７２を構成する発泡樹脂および発泡樹脂体は、上述する底部発泡樹脂体４０や側部発泡樹脂体５０に用いられる発泡樹脂および発泡樹脂体の記載が適宜参照されるため、ここでは詳細な説明を割愛する。
【００５１】
＜第二実施形態＞
以下に、本発明の第二実施形態について図５を用いて説明する。
図５は、ベタ基礎構造３０として逆ベタ基礎が用いられた防蟻用基礎構造２００の概略断面図である。本発明に関し、逆ベタ基礎とは、一般的に土木分野で逆ベタ基礎と認識されるものを広く包含し、たとえば基礎を構成する底板部１０が床スラブ（土間スラブ）としても機能し得るベタ基礎構造を含む。また、逆ベタ基礎は、鉄筋コンクリートからなる地中梁９３を備えることが一般的である。本実施形態では、逆ベタ基礎であるベタ基礎構造３０は、底板部１０の下面から下方に向けて鉄筋コンクリートで構成された地中梁９３が複数設けられるとともに、底板部１０の外縁から鉛直方向に延在する立上がり部２０を備える。図５では、立上がり部２０は、底板部１０の外縁から鉛直上方に伸長しているが、図示省略する異なる逆ベタ基礎の態様では、底板部１０が地盤面より高い位置に形成され、底板部１０の外縁から下方向に向けて形成された立ち上がり部２０であってもよい。
【００５２】
一般的には、逆ベタ基礎の地中梁９３間には、地盤を掘削した際に生じた残土を盛土した土が配置されることが多い。したがって、底板部１０の下方において湿気が多くなり、白蟻の巣が形成されやすい環境となる。しかし本発明では、逆ベタ基礎であるベタ基礎構造３０の底板部１０下方には、上述する土ではなく、底部発泡樹脂体４０が配置されている。そのため、逆ベタ基礎の下方に従来のように湿気が溜まり難く防蟻が図られている。
【００５３】
また本実施形態では、地中梁９３の側面および底面に沿って、底部発泡樹脂体４０が配置されている。このように、ベタ基礎構造３０として逆ベタ基礎を備える本実施形態では、適宜、地中梁９３の側面および底面に直接または間接に連続して底部発泡樹脂体４０が配置されることが好ましく、これにより、地中梁９３が地盤と隔離され、地中梁９３の周囲にも白蟻が寄り付くことが防止される。
尚、防蟻用基礎構造２００において、蟻返し部材６０や透水部材７０については、第一実施形態と同様であるため、ここでは詳細な説明を割愛する。
【００５４】
上述するとおり、従来の逆ベタ基礎は、非逆ベタ基礎に比べ、さらに防蟻の改善が求められるところ、本実施形態の防蟻用基礎構造２００であれば、逆ベタ基礎を採用しても、良好に防蟻を図ることができる。
【００５５】
上記実施形態は、以下の技術思想を包含するものである。
（１）底板部および前記底板部の外縁部から鉛直方向に延在する立上がり部を備える木造建造物用のベタ基礎構造と、
前記ベタ基礎構造の下方に埋設された防蟻用の底部発泡樹脂体と、
前記立上がり部の横側面に沿って配置された防蟻用の側部発泡樹脂体と、を有し、
防蟻用の前記底部発泡樹脂体および前記側部発泡樹脂体がいずれも発泡ビーズ成形体を含み、
上記側部発泡樹脂体の上端面を覆う硬質の被覆部を有する蟻返し部材が設けられていることを特徴とする防蟻用基礎構造。
（２）前記蟻返し部材が、前記被覆部の建物側の外縁部から上方および／または下方に延在する壁部を有する上記（１）に記載の防蟻用基礎構造。
（３）前記側部発泡樹脂体の上端面と前記立上がり部の上端面とが略面一に配置され、
前記被覆部が前記側部発泡樹脂体の上端面と、前記立上がり部の上端面の少なくとも一部とに亘って配置されている上記（１）または（２）に記載の防蟻用基礎構造。
（４）前記発泡ビーズ成形体の基材樹脂が、ポリスチレン系樹脂である上記（１）から（３）のいずれいか一項に記載の防蟻用基礎構造。
（５）地盤中において、
前記底部発泡樹脂体および／または前記側部発泡樹脂体の側面に沿って、透水部材が配置されている上記（１）から（４）のいずれか一項に記載の防蟻用基礎構造。
（６）前記側部発泡樹脂体の外側面には、保護層が設けられており、
前記保護層の上端面は、前記側部発泡樹脂体の上端面と略面一に配置されており、
前記被覆部が、前記保護層の上端面を覆う上記（１）から（５）のいずれか一項に記載の防蟻用基礎構造。
（７）前記底板部と地盤とが、防蟻用の前記底部発泡樹脂体および前記側部発泡樹脂体によって隔離されている上記（１）から（６）のいずれか一項に記載の防蟻用基礎構造。
【符号の説明】
【００５６】
１０・・・底板部
２０・・・立上がり部
３０・・・ベタ基礎構造
４０、４０ａ、４０ｂ・・・防蟻用の底部発泡樹脂体
５０・・・防蟻用の側部発泡樹脂体
６０・・・蟻返し部材
６２・・・被覆部
６４・・・壁部
７０・・・透水部材
７２・・・透水用発泡樹脂体
８０・・・保護層
８２・・・土台
８４・・・任意部材
８６・・・砂層
８７・・・砕石層
８８・・・土木シート
９０・・・防水処理層
９１・・・コンクリート板
９２・・・補強部
９３・・・地中梁
１００、２００・・・防蟻用基礎構造
１１０・・・側部発泡樹脂体の上端面
１２０・・・立上がり部の上端面
１３０・・・留め具
１４０・・・シート状物
１４２・・・溝部
１４４・・・穴部
１４６・・・開孔
１４８・・・貫通孔
１５０・・・蟻返し領域
１６０・・・水切り部材
【要約】
【課題】
殺虫剤を使用せずに、高い防蟻効果を発揮する木造建造物の防蟻用基礎構造を提供する。
【解決手段】
防蟻用基礎構造１００は、底板部１０および底板部１０の外縁部から鉛直方向に延在する立上がり部２０を備える木造建造物用のベタ基礎構造３０と、ベタ基礎構造３０の下方に埋設された防蟻用の底部発泡樹脂体４０と、立上がり部２０の横側面に沿って配置された防蟻用の側部発泡樹脂体６０と、を有し、防蟻用の底部発泡樹脂体４０および側部発泡樹脂体５０がいずれも発泡ビーズ成形体を含み、側部発泡樹脂体５０の上端面１１０を覆う硬質の被覆部６２を有する蟻返し部材６０が設けられている。
【選択図】図１【図１】
0006883365.tif 000002
【図２】
0006883365.tif 000003
【図３】
0006883365.tif 000004
【図４】
0006883365.tif 000005
【図５】
0006883365.tif 000006